(57)【要約】【課題】  従来のアスペクト比切り替え手段を有する電子カメラの不具合を改善する工夫が施された電子カメラを提供する。【解決手段】  本発明の電子カメラは、電子カメラは、撮像素子と、アスペクト比制御部と、ズーム制御部と、第１変換部と、第２変換部とを備える。撮像素子は、被写体像を撮像して画像を生成する。アスペクト比制御部は、撮影範囲の縦横比を表す第１アスペクト比を変更自在とし、第１アスペクト比の被写体像を、撮像素子の撮像面の縦横比を表す第２アスペクト比の被写体像に圧縮する。ズーム制御部は、第１アスペクト比の変更に応じて、焦点距離調整用のズームレンズのズーム倍率を変更する。第１変換部は、ズーム倍率が変更された後、撮像素子により生成した第２アスペクト比の画像を、変更後の第１アスペクト比の画像に変換する。第２変換部は、変更後の第１アスペクト比の画像サイズを、変更前の第１アスペクト比の画像サイズに等しくなるように変換する。【選択図】    図２
2010028612.tif 000002
【特許請求の範囲】
【請求項１】
被写体像を撮像して画像を生成する撮像素子と、
撮影範囲の縦横比を表す第１アスペクト比を変更自在とし、前記第１アスペクト比の被写体像を、前記撮像素子の撮像面の縦横比を表す第２アスペクト比の被写体像に圧縮するアスペクト比制御部と、
前記第１アスペクト比の変更に応じて、焦点距離調整用のズームレンズのズーム倍率を変更するズーム制御部と、
前記ズーム倍率が変更された後、前記撮像素子により生成した前記第２アスペクト比の画像を、変更後の第１アスペクト比の画像に変換する第１変換部と、
前記変更後の第１アスペクト比の画像サイズを、変更前の第１アスペクト比の画像サイズに等しくなるように変換する第２変換部と、を備えることを特徴とする電子カメラ。
【請求項２】
請求項１に記載の電子カメラにおいて、
前記アスペクト比制御部は、
前記撮像素子に対向する位置に配置された、前記第１アスペクト比から前記第２アスペクト比に前記被写体像を圧縮する光学素子と、
前記光学素子の光軸に垂直な面内で、該光学素子を所定の角度分回転させることにより、前記第１アスペクト比を変更自在とする光学素子制御部と、を備えることを特徴とする電子カメラ。
【請求項３】
請求項２に記載の電子カメラにおいて、
前記光学素子は、縦方向の結像倍率と横方向の結像倍率とが異なるシリンドリカルレンズ若しくはアナモフィックレンズであることを特徴とする電子カメラ。
【請求項４】
請求項１に記載の電子カメラにおいて、
前記ズーム制御部は、前記第１アスペクト比の変更前後で前記撮影範囲の縦方向若しくは横方向のいずれか一方を一定に保てるように、前記ズームレンズを制御することを特徴とする電子カメラ。
【請求項５】
請求項１に記載の電子カメラにおいて、
前記第１アスペクト比の変更に応じて横長の画像となるパノラマ撮影モードを備え、
前記パノラマ撮影モードの場合には、
前記ズーム制御部は、前記ズームレンズを広角側に移動させ、
前記第２変換部は、前記変更後の第１アスペクト比の画像サイズを、前記変更前の第１アスペクト比の画像サイズに伸長することを特徴とする電子カメラ。
【発明の詳細な説明】
【技術分野】
【０００１】
本発明は、アスペクト比切り替え手段を備える電子カメラに関する。
【背景技術】
【０００２】
従来、電子カメラにおいて、ワイド画像（撮影範囲のアスペクト比＝１６：９）やパノラマ画像（撮影範囲のアスペクト比＝８：３）等を得る手段として、撮像素子の一部を黒いマスクで覆うマスク処理などを行うことにより、通常の画像（撮影範囲のアスペクト比＝４：３）を横長の画像に切り出して撮影する方法が知られている。
【０００３】
しかしながら、上記方法では、撮影範囲の一部を利用するため画質が悪くなるおそれがある。また、マスク処理などを行うと、撮像素子本来の撮像範囲を有効利用できないという問題もある。
【０００４】
そこで、マスク処理を行わずにワイド画像を得る電子カメラが提案されている（例えば、特許文献１参照）。
【０００５】
特許文献１に開示された電子カメラは、アスペクト比切り替え手段を有する。具体的には、通常の画像をワイド画像に切り替えるシリンドリカルレンズが光軸に対して挿抜可能に設けられている。これにより、特許文献１に開示された電子カメラは、マスク処理を行わずにワイド画像を得ることができる。
【特許文献１】特開２００５−６２５３１号公報
【発明の開示】
【発明が解決しようとする課題】
【０００６】
しかしながら、アスペクト比切り替え手段を有しない電子カメラを使い慣れているユーザが、特許文献１のようなアスペクト比切り替え手段を有する電子カメラを使ってワイド画像を撮影すると、以下に述べる問題が生じるおそれがある。すなわち、アスペクト比切り替え手段を有しない電子カメラの場合、ワイド画像撮影では、上述したように、通常の画像を横長の画像に切り出して撮影する。一方、アスペクト比切り替え手段を有する電子カメラの場合、ワイド画像撮影では縦方向の撮影範囲だけではなく、横方向の撮影範囲も変わるため、ユーザに違和感を与えてしまうおそれが生じる。
【０００７】
さらに、アスペクト比切り替え手段を有する電子カメラであっても、通常の画像からワイド画像に切り替えた場合、撮影範囲に写っている被写体の一部が切れてしまうことがある。
【０００８】
本発明は、上記事情に鑑み、従来のアスペクト比切り替え手段を有する電子カメラの不具合を改善する工夫が施された電子カメラを提供することを目的とする。
【課題を解決するための手段】
【０００９】
第１の発明に係る電子カメラは、撮像素子と、アスペクト比制御部と、ズーム制御部と、第１変換部と、第２変換部とを備える。撮像素子は、被写体像を撮像して画像を生成する。アスペクト比制御部は、撮影範囲の縦横比を表す第１アスペクト比を変更自在とし、第１アスペクト比の被写体像を、撮像素子の撮像面の縦横比を表す第２アスペクト比の被写体像に圧縮する。ズーム制御部は、第１アスペクト比の変更に応じて、焦点距離調整用のズームレンズのズーム倍率を変更する。第１変換部は、ズーム倍率が変更された後、撮像素子により生成した第２アスペクト比の画像を、変更後の第１アスペクト比の画像に変換する。第２変換部は、変更後の第１アスペクト比の画像サイズを、変更前の第１アスペクト比の画像サイズに等しくなるように変換する。
【００１０】
第２の発明は、第１の発明において、アスペクト比制御部は、撮像素子に対向する位置に配置された、第１アスペクト比から第２アスペクト比に被写体像を圧縮する光学素子と、光学素子の光軸に垂直な面内で、その光学素子を所定の角度分回転させることにより、第１アスペクト比を変更自在とする光学素子制御部と、を備える。
【００１１】
第３の発明は、第２の発明において、光学素子は、縦方向の結像倍率と横方向の結像倍率とが異なるシリンドリカルレンズ若しくはアナモフィックレンズである。
【００１２】
第４の発明は、第１の発明において、ズーム制御部は、第１アスペクト比の変更前後で撮影範囲の縦方向若しくは横方向のいずれか一方を一定に保てるように、ズームレンズを制御する。
【００１３】
第５の発明は、第１の発明において、第１アスペクト比の変更に応じて横長の画像となるパノラマ撮影モードを備え、パノラマ撮影モードの場合には、ズーム制御部は、ズームレンズを広角側に移動させ、第２変換部は、変更後の第１アスペクト比の画像サイズを、変更前の第１アスペクト比の画像サイズに伸長する。
【発明の効果】
【００１４】
本発明の電子カメラによれば、アスペクト比切り替え手段を有する電子カメラの不具合を改善することができる。これにより、ユーザの利便性が向上する。
【発明を実施するための最良の形態】
【００１５】
（第１実施形態）
＜電子カメラの構成の説明＞
以下、図面に基づいて本発明の実施の形態を詳細に説明する。
【００１６】
図１は、本実施形態の電子カメラ１の正面図及び背面図である。図１（ａ）は正面図、図１（ｂ）は背面図を示している。図１（ａ）に示す通り、電子カメラ１の前面には、後述する撮影光学系１０が備えられている。また、電子カメラ１の上面には、レリーズボタン２１ａが備えられている。
【００１７】
また、図１（ｂ）に示す通り、電子カメラ１の背面には、液晶表示モニタ２０と、広角ズームキー２１ｂと、望遠ズームキー２１ｃと、電源ボタン２１ｄと、モードスイッチ２１ｅと、メニュー切替・実行キー２１ｆとが備えられている。液晶表示モニタ２０は、静止画像や電子カメラ１の操作メニュー等を表示する。広角ズームキー２１ｂは、焦点距離を広角側に変更するための操作ボタンである。望遠ズームキー２１ｃは、焦点距離を望遠側に変更するための操作ボタンである。モードスイッチ２１ｅは、撮影モードを静止画撮影または静止画再生に切り替える操作ボタンである。メニュー切替・実行キー２１ｆは、静止画撮影や静止画再生などに使用されるメニューを自在に切り替えて設定条件を選択若しくは実行する操作ボタンである。
【００１８】
図２は、本実施形態の電子カメラ１の構成を示すブロック図である。図２に示す通り電子カメラ１には、撮影光学系１０と、ズーム制御部１１と、シリンドリカルレンズ制御部１２、撮像素子１３と、タイミングジェネレータ（ＴＧ）１４と、アナログフロントエンド部(以下、「ＡＦＥ」という。)１５と、画像処理部１６と、ＲＡＭ（Ｒａｎｄｏｍ  Ａｃｃｅｓｓ  Ｍｅｍｏｒｙ）１７と、ＲＯＭ（Ｒｅａｄ  Ｏｎｌｙ  Ｍｅｍｏｒｙ）１８と、表示制御部１９と、液晶表示モニタ２０と、操作部２１と、ＣＰＵ（Ｃｅｎｔｒａｌ  Ｐｒｏｃｅｓｓｉｎｇ  Ｕｎｉｔ）２２と、記録インターフェース（記録Ｉ／Ｆ）２３と、バス２４と、記録媒体２５とが備えられている。このうち画像処理部１６、ＲＡＭ１７、ＲＯＭ１８、表示制御部１９、ＣＰＵ２２及び記録インターフェース（記録Ｉ／Ｆ）２３は、バス２４を介して互いに接続されている。また、操作部２１はＣＰＵ２２に接続されている。
【００１９】
撮影光学系１０は、ズームレンズ１０ａと、シリンドリカルレンズ１０ｂと、不図示のフォーカスレンズとを含む複数の撮影レンズとで構成されている。
【００２０】
ズームレンズ１０ａは、広角側から望遠側まで連続的に焦点距離を変えることのできるレンズである。
【００２１】
また、シリンドリカルレンズ１０ｂは、縦方向の結像倍率と横方向の結像倍率とが異なるレンズである。このシリンドリカルレンズ１０ｂは、撮像素子１３に対向する位置に配置されている。このシリンドリカルレンズ１０ｂは、撮影範囲の縦横比を表す第１アスペクト比から撮像素子１３の撮像面の縦横比を表す第２アスペクト比に被写体像を圧縮する。なお、シリンドリカルレンズ１０ｂは、一例であって、縦方向の結像倍率と横方向の結像倍率とが異なるアナモフィックレンズを用いてもよい。
【００２２】
ズーム制御部１１は、第１アスペクト比の変更に応じて、不図示の駆動機構によりズームレンズ１０ａのズーム倍率を変更する（詳細は後述する）。
【００２３】
シリンドリカルレンズ制御部１２は、不図示の回転機構により、シリンドリカルレンズ１０ｂの光軸に垂直な面内で、シリンドリカルレンズ１０ｂを回転させることにより、第１アスペクト比を変更自在とする。このシリンドリカルレンズ制御部１２は、シリンドリカルレンズ１０ｂの回転角度を検出するセンサ（不図示）を備えており、回転角度を制御する。
【００２４】
撮像素子１３は、撮影光学系１０からの被写体像を光電変換することにより、画像信号（アナログ信号）を生成する。
【００２５】
タイミングジェネレータ（ＴＧ）１４は、ＣＰＵ２２からの指示に従い撮像素子１３及びＡＦＥ１５の各々へ向けて駆動信号を送出し、それによって両者の駆動タイミングを制御する。
【００２６】
ＡＦＥ１５は、撮像素子１３が生成する画像信号に対して信号処理を施すアナログフロントエンド回路である。このＡＦＥ１５は、画像信号のゲイン調整や、画像信号のＡ／Ｄ変換などを行う。このＡＦＥ１５が出力する画像信号（デジタル信号）は、画像処理部１６へ入力される。
【００２７】
画像処理部１６は、ＡＦＥ１５が出力する画像データをＲＡＭ１７のフレームメモリに一時的に記憶させる。また、画像処理部１６は、後述する第２変換部２２ｂによる画像処理が施された画像データに対してホワイトバランス補正処理、ゲインコントロール処理などの画像処理を施す。
【００２８】
記録インターフェース（記録Ｉ／Ｆ）２３には、記録媒体２５を接続するためのコネクタが形成されている。記録インターフェース（記録Ｉ／Ｆ）２３はＣＰＵ２２からの指示により、そのコネクタに接続された記録媒体２５にアクセスして画像の記録処理を行う。
【００２９】
表示制御部１９は、画像処理部１６で画像処理が施された画像データを液晶表示モニタ２０に画像として表示させる。本実施形態では、液晶表示モニタ２０のアスペクト比を１６：９とする。
【００３０】
操作部２１は、既に図１で説明した電子カメラ１の背面及び上面に備えられている各操作ボタン（レリーズボタン２１ａ、広角ズームキー２１ｂ、望遠ズームキー２１ｃ、電源ボタン２１ｄ、モードスイッチ２１ｅ及びメニュー切替・実行キー２１ｆ）の操作を受け付けてＣＰＵ２２に処理の命令を出す。
【００３１】
ＣＰＵ２２は、電子カメラ１の統括的な制御を行うプロセッサである。ＣＰＵ２２は、ＲＯＭ１８に予め格納されたシーケンスプログラムを実行することにより、各処理のパラメータを算出したり、電子カメラ１の各部を制御したりする。また、本実施形態のＣＰＵ２２は、第１変換部２２ａ、第２変換部２２ｂとして機能する。
【００３２】
第１変換部２２ａは、撮像素子１３で生成された第２アスペクト比の画像を、シリンドリカルレンズ１０ｂによる圧縮率に応じて、変更後の第１アスペクト比の画像に伸長する。これにより、第１変換部２２ａは、シリンドリカルレンズ１０ｂを介することによって圧縮された画像を、圧縮前の第１アスペクト比の画像に復元することができる。
【００３３】
第２変換部２２ｂは、第１変換部２２ａで変換された、変更後の第１アスペクト比の画像サイズを、変更前の第１アスペクト比の画像サイズに等しくなるように変換する（詳細は後述する）。
【００３４】
次に、第１アスペクト比とシリンドリカルレンズ１０ｂとの関係と、シリンドリカルレンズ１０ｂの配置と電子カメラ１の筐体との関係とを説明する。
【００３５】
図３は、第１アスペクト比とシリンドリカルレンズ１０ｂとの関係を説明する図である。また、図４は、シリンドリカルレンズ１０ｂの配置と電子カメラ１の筐体との関係を説明する図である。なお、図３に示すシリンドリカルレンズ１０ｂは、図４では正面図として描かれている。
【００３６】
図４においては、説明をわかりやすくするため、電子カメラ１の下面１１とシリンドリカルレンズ１０ｂの下面１００ｂが平行な位置関係にあるとき、シリンドリカルレンズ１０ｂが縦位置にあるとする。この状態を基準として、シリンドリカルレンズ制御部１２は、不図示の回転機構により、シリンドリカルレンズ１０ｂの光軸に垂直な面内で、シリンドリカルレンズ１０ｂを、電子カメラ１を正面から見て時計回りに０度から９０度の範囲で回転させる。なお、シリンドリカルレンズ１０ｂを縦位置の状態に戻すときには、シリンドリカルレンズ制御部１２は、シリンドリカルレンズ１０ｂを反時計回りに回す。これは、一例であって、シリンドリカルレンズ１０ｂを時計回りに回転させて縦位置の状態に戻してもよい。ここでは、縦位置がシリンドリカルレンズ１０ｂの回転角度０度に相当する。
【００３７】
また、電子カメラ１の下面１１とシリンドリカルレンズ１０ｂの下面１００ｂが、垂直な位置関係にあるとき、シリンドリカルレンズ１０ｂが横位置にあるとする。この場合、横位置が、シリンドリカルレンズ１０ｂの回転角度９０度に相当する。
【００３８】
本実施形態では、撮像素子１３の第２アスペクト比は固定にする。一方、撮影範囲の第１アスペクト比は、シリンドリカルレンズ１０ｂの回転により変動する。そのため、まず、撮像素子１３の第２アスペクト比を規定する必要が生じる。
【００３９】
そこで、以下に述べる計算により、撮像素子１３の第２アスペクト比を規定する。本実施形態では、撮像素子１３の第２アスペクト比は、２種類の第１アスペクト比の積を求め、その積の平方根の値となるようにする。
【００４０】
具体的には、撮像素子１３の第２アスペクト比を規定するための２種類の第１アスペクト比は、図３（ａ）に示す、ワイド撮影時の第１アスペクト比（１６：９）と、図３（ｂ）に示す、通常撮影時の第１アスペクト比（４：３）とする。すると、撮像素子１３の第２アスペクト比は、１．５４：１となる。すなわち、撮像素子１３の第２アスペクト比ｂは、以下のようにして求める。ここでは、（１６／９）を小数に換算してａ＝１．７７７、（４／３）を小数に換算してｃ＝１．３３３とすると、「ａ：ｂ＝ｂ：ｃ」となるようなｂは、ａ×ｃの平方根である１．５４と算出される。
【００４１】
撮像素子１３の第２アスペクト比が１．５４：１と規定されると、シリンドリカルレンズ１０ｂの縦方向の結像倍率と横方向の結像倍率が定まる。この結像倍率に基づいて、シリンドリカルレンズ１０ｂが製造されている。
【００４２】
なお、撮像素子１３の第２アスペクト比は、１．５４：１に限定されるものではなく、例えば、１：１や２：１であってもよい。この場合、縦位置、横位置における第１アスペクト比は、第２アスペクト比が１．５４：１の場合と異なる値となる。なお、図３、図４の詳細については、電子カメラ１の動作説明の際に後述する。
【００４３】
＜電子カメラの動作説明＞
次に、本実施形態における電子カメラの動作例を説明する。
【００４４】
図５は、電子カメラ１の動作の一例を表すフローチャートである。このフローチャートは、電子カメラ１の電源がＯＮになると開始される。ここでは、説明をわかりやすくするため、まず初めに、ズーム制御部１１が、後述するズーム制御を行わない場合についての動作例を説明する。続いて、ズーム制御を行わない場合についての問題点を指摘した後、ズーム制御部１１が、ズーム制御を行う場合の動作例を説明する。
【００４５】
なお、以下の説明では、ユーザが第１アスペクト比を選択して撮影するモードがオンに設定されている状態を前提として説明を行う。
【００４６】
ステップＳ１０１：ＣＰＵ２２は、液晶表示モニタ２０に、第１アスペクト比（複数種類の撮影範囲のアスペクト比）を表示させる。ユーザにより第１アスペクト比が入力されると、操作部２１は、その第１アスペクト比を受付ける。そして、ステップＳ１０２へ移行する。
【００４７】
ステップＳ１０２：ＣＰＵ２２は、操作部２１が受付けた第１アスペクト比に基づいてシリンドリカルレンズ１０ｂを回転させるか否かを判定する。現在の第１アスペクト比が操作部２１で受付けた第１アスペクト比であって、第１アスペクト比を変更する必要がない場合は（ステップＳ１０２：Ｎｏ）、ステップＳ１０４に移行する。一方、現在の第１アスペクト比が操作部２１で受付けた第１アスペクト比と異なり、第１アスペクト比を変更する必要がある場合は（ステップＳ１０２：Ｙｅｓ）、ステップＳ１０３に移行する。
【００４８】
ステップＳ１０３：ＣＰＵ２２は、シリンドリカルレンズ制御部１２に指示を出し、操作部２１で受付けた第１アスペクト比になるように、シリンドリカルレンズ１０ｂの光軸に垂直な面内で、シリンドリカルレンズ１０ｂを０度から９０度の範囲で回転させる。
【００４９】
図３（ａ）において、上述した通り、撮像素子１３の第２アスペクト比は、１．５４：１である。この場合、シリンドリカルレンズ１０ｂが縦位置（０度）であると、第１アスペクト比は、ワイド撮影（１６：９）になる。したがって、ワイド撮影（１６：９）の被写体像は、シリンドリカルレンズ１０ｂを介することで、第２アスペクト比の被写体像に圧縮される。そして、第２アスペクト比の被写体像が撮像素子１３の撮像面に結像する。すなわち、「１６：９」＝「１．７７７：１」となり、１．７７７を１．５４にするには、０．８６６を乗算すればよい。この場合、シリンドリカルレンズ１０ｂは撮影範囲を横方向に８６．６％圧縮する。図４（ａ）は、図３（ａ）におけるシリンドリカルレンズ１０ｂの配置と電子カメラ１の筐体との関係を表している。
【００５０】
図３（ｂ）は、第１アスペクト比が通常撮影（４：３）の場合における撮影を説明する図である。シリンドリカルレンズ制御部１２が、シリンドリカルレンズ１０ｂの光軸に垂直な面内で、シリンドリカルレンズ１０ｂを縦位置（０度）から９０度回転させて横位置（９０度）とすると、第１アスペクト比は４：３になる。図４（ｂ）は、図３（ｂ）におけるシリンドリカルレンズ１０ｂの配置と電子カメラ１の筐体との関係を表している。
【００５１】
この場合、通常撮影（４：３）の被写体像は、シリンドリカルレンズ１０ｂを介することで、第２アスペクト比の被写体像に圧縮される。そして、第２アスペクト比の被写体像が撮像素子１３の撮像面に結像する。すなわち、「４：３」＝「１．５４：１．１５５」となり、１．１５５を１にするには、０．８６６を乗算すればよい。この場合、シリンドリカルレンズ１０ｂは撮影範囲を縦方向に８６．６％圧縮する。
【００５２】
ステップＳ１０４：ＣＰＵ２２は、レリーズボタン２１ａが半押しされると、本画像の撮影に用いる撮影条件を設定する。続いて、ＣＰＵ２２は、レリーズボタン２１ａが全押しされると、不図示のメカニカルシャッタを開状態とし、タイミングジェネレータ１４を駆動させる。これにより、本画像の画像データを取得する。この場合、撮像素子１３の撮像面に結像した第２アスペクト比の画像データは、ＡＦＥ１５を通過してから画像処理部１６によりＲＡＭ１７のフレームメモリに記憶される。
【００５３】
図６は、第１アスペクト比の画像と第２アスペクト比の画像との対応関係を示す図である。第１アスペクト比（４：３）の画像（図６（ａ））は、縦方向に圧縮される（図６（ｂ））。また、第１アスペクト比（１６：９）の画像（図６（ｃ））は、横方向に圧縮される（図６（ｄ））。ここで、図６（ｂ）の画像の上下に示す黒いマスクや図６（ｄ）の画像の左右に示す黒いマスクは、画像サイズの比較のために表示したものであって、実際の画像には表示されない。
【００５４】
ステップＳ１０５：ＣＰＵ２２の第１変換部２２ａは、ＲＡＭ１７のフレームメモリに記憶されている第２アスペクト比の画像を伸長する。すなわち、第１変換部２２ａは、ステップＳ１０４で得られた圧縮された画像を、シリンドリカルレンズ１０ｂの圧縮率に応じて伸長する。この伸長処理によって、第１変換部２２ａは、圧縮前の撮影範囲の画像に復元することができる。この伸長処理は、例えば、３次補間法と呼ばれている画像の補間方式（バイキュービック）を用いることにより実現される。ここで、図６を例にすると、第１変換部２２ａは、縦方向に圧縮された画像を（図６（ｂ））、第１アスペクト比（４：３）の撮影範囲の画像（図６（ａ））になるように伸張する。また、第１変換部２２ａは、横方向に圧縮された画像を（図６（ｄ））、第１アスペクト比（１６：９）の画像（図６（ｃ））になるように伸張する。
【００５５】
ステップＳ１０６：画像処理部１６は、ステップＳ１０５にて伸長処理された後の本画像のデータに対して、ホワイトバランス、階調変換処理など各種の画像処理を施す。
【００５６】
ステップＳ１０７：ＣＰＵ２２は、ステップＳ１０６にて画像処理が施された本画像のデータを記録媒体２５に記録する。そして、この処理ルーチンを終了する。
【００５７】
次に、ズーム制御を行わない場合の問題点を説明する。なお、ここでいうズーム制御は、第１アスペクト比の変更に応じて、ズーム制御部１１がＣＰＵ２２の指示によりズームレンズ１０ａのズーム倍率を自動的に変更することを意味する（詳細は後述する）。したがって、図２に示す広角ズームキー２１ｂや望遠ズームキー２１ｃをユーザがマニュアル操作するのではない。
【００５８】
図７は、ズーム制御を行わない場合の問題点及びズーム制御を行った場合の改善点を説明するための図である。図７において、図７（ａ）に示す画像の左右にある黒いマスクや図７（ｂ）、（ｃ）に示す画像を囲む黒いマスクは、画像サイズの比較のために表示したものであって、実際の画像には表示されない。図７（ａ）は、第１アスペクト比４：３の場合の画像を表示している。ここで、ズーム制御せずに第１アスペクト比１６：９の撮影を行うと、図７（ｂ）に示す画像が得られる。この場合、図７（ａ）に示す画像の上下の部分が切られてしまう。本実施形態はこの点を改善しており、以下説明する。図７（ｃ）、図７（ｄ）については後述する。
【００５９】
次に、ズーム制御部１１が、ズーム制御を行う場合の動作例を説明する。
【００６０】
図８は、電子カメラ１がズーム制御を行う場合の動作の一例を表すフローチャートである。このフローチャートは、電子カメラ１の電源がＯＮになると開始される。撮影するモードがオンに設定されている状態を前提として説明を行う。ここでは、電源がＯＮになると、図３（ｂ）に示すように、シリンドリカルレンズ１０ｂは横位置（第１アスペクト比４：３）になっているものとする。
【００６１】
ステップＳ２０１：ＣＰＵ２２は、液晶表示モニタ２０に、第１アスペクト比（複数種類の撮影範囲のアスペクト比）を表示させる。ユーザにより第１アスペクト比が入力されると、操作部２１は、その第１アスペクト比を受付ける。そして、ステップＳ２０２へ移行する。ここでは、ユーザがパノラマ撮影モード（第１アスペクト比１６：９の撮影）を選択するものとする。
【００６２】
ステップＳ２０２： ＣＰＵ２２は、シリンドリカルレンズ制御部１２に指示を出し、操作部２１で受付けた第１アスペクト比（１６：９）になるように、シリンドリカルレンズ１０ｂを図３（ｂ）に示す横位置（９０度）から図３（ａ）に示す縦位置（０度）に回転させる。
【００６３】
ステップＳ２０３：ＣＰＵ２２は、ズーム制御部１１に指示を出し、ズーム制御部１１はズームレンズ１０ａを広角側に移動させる。具体的に説明すると、本実施形態では、第１アスペクト比を４：３から１６：９に変更する際、ズーム制御部１１は、図７（ａ）に示す撮影範囲を図７（ｃ）の撮影範囲になるように、広角側にズームする。
【００６４】
図９は、第１アスペクト比１６：９の場合、ズームレンズ１０ａの移動を説明する図である。図９に示すように、ズーム制御部１１は、第１アスペクト比の変更に応じて、不図示の駆動機構によりズームレンズ１０ａを広角側に移動させる。この場合、図７（ａ）に示す撮影範囲（第１アスペクト比４：３）の画角及び焦点距離は、図７（ｃ）に示す撮影範囲（第１アスペクト比１６：９）の画角及び焦点距離になる。ここでは、第１アスペクト比４：３の画角及び焦点距離と第１アスペクト比１６：９の画角及び焦点距離との対応関係をテーブルとしてＲＯＭ１８に記憶にしておく。ズーム制御部１１は、ＲＯＭ１８からそのテーブルを読み出して、上記対応関係に基づいてズーム倍率を決定する。これにより、ズーム制御部１１は、第１アスペクト比１６：９の枠内に第１アスペクト比４：３の画像が収まるように広角側にズームすることができる。なお、ステップＳ２０７で後述するように、ズーム制御部１１は、第１アスペクト比の変更前後で撮影範囲の縦方向を一定に保てるように、ズームレンズ１０ａを制御することとなる。
【００６５】
ステップＳ２０４：ＣＰＵ２２は、図５に示すステップＳ１０４と同様にして、撮影を実行する。
【００６６】
ステップＳ２０５：ＣＰＵ２２の第１変換部２２ａは、図５に示すステップＳ１０５と同様にして、ＲＡＭ１７のフレームメモリに記憶されている第２アスペクト比の画像を伸長する。すなわち、第１変換部２２ａは、ステップＳ２０４で得られた圧縮された画像を、シリンドリカルレンズ１０ｂの圧縮率に応じて伸長する。すると、図７（ｃ）に示すようになる。図７（ｂ）と比較すると、図７（ｃ）は、第１アスペクト比４：３の画像（図７（ａ））の上下が切られずに済む。
【００６７】
ステップＳ２０６：第２変換部２２ｂは、変更後の第１アスペクト比の画像サイズを、変更前の第１アスペクト比の画像サイズに伸長する。
【００６８】
ステップＳ２０７：画像処理部１６は、ステップＳ２０６にて伸長処理された後の本画像のデータに対して、ホワイトバランス、階調変換処理など各種の画像処理を施す。すると、図７（ｄ）に示す画像が得られる。こうすると、本実施形態のパノラマ撮影モードでは、撮影範囲の縦方向が一定に保たれ、横方向のみ横長になる画像が得られる。そのため、アスペクト比切り替え手段を有しない電子カメラを使い慣れているユーザに違和感を与えてしまうおそれは軽減される。
【００６９】
ステップＳ２０８：ＣＰＵ２２は、ステップＳ２０７にて画像処理が施された本画像のデータを記録媒体２５に記録する。そして、この処理ルーチンを終了する。
【００７０】
図１０は、液晶表示モニタ２０に画像を表示した場合の一例を示す図である。図１０（ａ）は、撮影前のスルー画像（第１アスペクト比４：３）を表している。図１０（ｂ）は、記録画像（第１アスペクト比１６：９）を表している。なお、上述した通り、液晶表示モニタ２０のアスペクト比は、１６：９である。
【００７１】
以上より、本実施形態の電子カメラ１は、パノラマ撮影モードにおいて、撮影範囲の縦方向が一定に保たれ、横方向のみ横長になる画像が得られる。さらに、図７（ｂ）に示すような、撮影範囲の上下が切れるという問題も解消される。つまり、変更前の第１アスペクト比の撮影範囲（第１アスペクト比４：３）に写し出されている被写体については、ワイド画像（第１アスペクト比１６：９）にしたときに、切られるという不具合は生じなくて済む。
【００７２】
したがって、本実施形態の電子カメラ１は、アスペクト切り替え手段を有する電子カメラの不具合を改善することができる。これにより、ユーザの利便性が向上する。
【００７３】
なお、本実施形態では、通常の画像（第１アスペクト比４：３）からワイド画像（第１アスペクト比１６：９）に切り替えて撮影する場合について説明した。ここで、通常の画像は、第１アスペクト比４：３に限られず、シリンドリカルレンズ１０ｂの回転角度に応じた第１アスペクト比であってもよい。また、ワイド画像についても、第１アスペクト比１６：９に限られず、例えば、第１アスペクト比を８：３になるような構成にしてもよい。
【００７４】
また、パノラマ撮影モードにおいて、撮影範囲の横方向を一定に保ち、縦方向のみ撮影範囲が狭くなる画像を得るようにしてもよい。
【図面の簡単な説明】
【００７５】
【図１】本実施形態の電子カメラ１の正面図及び背面図
【図２】本実施形態の電子カメラ１の構成を示すブロック図
【図３】第１アスペクト比とシリンドリカルレンズ１０ｂとの関係を説明する図
【図４】シリンドリカルレンズ１０ｂの配置と電子カメラ１の筐体との関係を説明する図
【図５】電子カメラ１の動作の一例を表すフローチャート
【図６】第１アスペクト比の画像と第２アスペクト比の画像との対応関係を示す図
【図７】ズーム制御を行わない場合の問題点及びズーム制御を行った場合の改善点を説明するための図
【図８】電子カメラ１がズーム制御を行う場合の動作の一例を表すフローチャート
【図９】第１アスペクト比１６：９の場合、ズームレンズ１０ａの移動を説明する図
【図１０】液晶表示モニタ２０に画像を表示した場合の一例を示す図
【符号の説明】
【００７６】
１・・・電子カメラ、１０ａ・・・ズームレンズ、１０ｂ・・・シリンドリカルレンズ、１１・・・ズーム制御部、１２・・・シリンドリカルレンズ制御部、１３・・・撮像素子、２２ａ・・・第１変換部、２２ｂ・・・第２変換部
【図１】
2010028612.tif 000003
【図２】
2010028612.tif 000004
【図３】
2010028612.tif 000005
【図４】
2010028612.tif 000006
【図５】
2010028612.tif 000007
【図６】
2010028612.tif 000008
【図７】
2010028612.tif 000009
【図８】
2010028612.tif 000010
【図９】
2010028612.tif 000011
【図１０】
2010028612.tif 000012